(57)【要約】【課題】柱と横架材とを接合した木造構造体に、垂直面材を正確かつ簡略化に取り付けをできる。【解決手段】取付金物３０は間隙１５を設けて並列した第１部材１３と第２部材１４とを備えた基板１０と、基板１０に略垂直に連結した支持板２０とから構成した（ａ）。柱４１の下面４４と第１土台３１の上面３２（接合境界線）とを接合した木造構造体に、取付金物３０を合わせ、ビス孔１７からビスを打ち込み固定する。壁板６０Ａ、６０Ｂの下縁６２を支持板２０に載せ、各側縁６１を柱４１の側面４３に合わせて配置した。壁板６０Ａ、６０Ｂの側縁６１近傍から、間隙１５を通して、柱４１の側面４４、第１土台３１の他側面３４に向けてビス類を打ち込み、壁板６０Ａ、６０Ｂを木造構造体（柱４１、第１土台３１）に固定した（ｂ）。【選択図】図１
2020183632.tif 000002
【特許請求の範囲】
【請求項１】
木造構造体に垂直面材を取りつける際に使用する金物であって、以下のように構成したことを特徴とする木造構造体の垂直面材の取付金物。
(1) 前記取付金物は、前記木造構造体の略垂直面に固定する基板と、該基板の下縁に、略垂直の前記垂直面材の下縁を支持する支持板とを備えた。
(2) 前記基板は、水平方向に間隙を設けて並列した第１部材と第２部材とを下縁部で、連結部材で連設して、形成した。
(3) 前記支持板は、前記連結部材に連設した。
【請求項２】
支持板の略中央に、切欠を形成した請求項１記載の垂直面材の取付金物。
【請求項３】
以下のように構成したことを特徴とする請求項１記載の垂直面材の取付金物。
(1) 基板は、適用する木造構造体の柱および横架材に位置するように配置した。
(2) 第１部材と第２部材の少なくとも上端部および下端部にビス孔を形成した。
(3) 前記ビス孔は、間隙の近傍に形成し、かつ上端部および下端部のビス孔は、適用する木造構造体の柱および横架材に位置するように配置した。
【請求項４】
柱と横架材とを接合境界線で接合した木造構造体に、取付金物を介して垂直面材を取りつける構造であって、以下のように構成したことを特徴とする木造構造体の垂直面材の取付構造。
(1) 前記取付金物は、水平方向に間隙を設けて並列した第１部材と第２部材とを備えた基板と、該基板に略垂直に連結した支持板とを含む構成とした。
(2) 前記柱と前記横架材の側面で、前記接合境界線を跨いで、前記取付金物の基板を配置して固定した。
(3) 前記垂直面材の下縁を前記取付金物の支持板に載置して、かつ前記垂直面材の側縁を前記柱の側面に合わせて配置した。
(4) 前記垂直面材の側縁付近から、前記取付金物の間隙を通して、前記柱の側面にビス類を打ち込み、かつ前記垂直面材の下縁付近から前記横架材の側面にビス類を打ち込み、前記垂直面材を木造構造体に固定した。
【発明の詳細な説明】
【技術分野】
【０００１】
本発明は、主に木造建造物の構築にあたり、横架材・柱などの木造構造体に略垂直の壁板などの垂直面材を固定する際に使用する垂直面材の支持金物、およびこの取付金物を適用した「垂直面材の取付構造に関する。とりわけ、柱と横架材との接合部周辺での施工に最適な金物である。
【背景技術】
【０００２】
従来、ＡＬＣで外壁を構成する鉄骨構造ではあるが、垂直の平板の上端に鉄骨梁に固定する水平の横片、平板の下端委水平のパネル端受部片を形成した金物が提案されている（特許文献１、図２など）。また、同様構造で、横方向に長い金物も記載されている（特許文献２、従来例図８）。
【先行技術文献】
【特許文献】
【０００３】
【特許文献１】特開平８−３１２０４２号公報
【特許文献２】特開２００４−９２１２５号公報
【発明の概要】
【発明が解決しようとする課題】
【０００４】
一方、柱４１周りは柱４１と横架材３１、５１とを接合するために柱４１内（主に柱４１の軸周辺）に埋まる金物や露出する金物５４など各種金物が使われ（図３）、これらとの干渉しないように垂直面材６１、６１を取り付けるための金物を固定することが難しかった。したがって、一般には、横架材３１の側面（垂直面）３４に、垂直面材６０、６０の下縁６２位置に合わせて墨付け線７１を描き、墨付け線７１に沿って、釘７２や木片などの受け材を横架材３１の側面３４に打ち込み、釘７２などの受け材に合わせて垂直面材６０Ａ、６０Ｂを配置して、垂直面材６０Ａ、６０Ｂの外面から柱４１や横架材３１に向けて釘やビスなどを打ち付けて、垂直面材６０Ａ、６０Ｂを柱４１や横架材３１に固定していた（図３）。この場合、垂直面材６０Ａ、６０Ｂを固定後に邪魔な受け材を除去する必要があり、釘７２は横架材３１の側面３４から突出しないように打ち込み、木片の場合には取り外していた。
【課題を解決するための手段】
【０００５】
本発明は、墨出し作業を省略して、各種の柱接合金物と干渉せずに、柱に固定して垂直面材の位置合わせ作業を簡略化させる金物とするために、柱に固定する基板に間隙を設けて並列した第１部材と第２部材とを備えた構成としたので、前記問題点を解決した。
【０００６】
即ちこの取付金物の発明は、木造構造体に垂直面材を取りつける際に使用する金物であって、以下のように構成したことを特徴とする木造構造体の垂直面材の取付金物である。  
(1) 前記取付金物は、前記木造構造体の略垂直面に固定する基板と、該基板の下縁に、略垂直の前記垂直面材の下縁を支持する支持板とを備えた。  
(2) 前記基板は、水平方向に間隙を設けて並列した第１部材と第２部材とを下縁部で、連結部材で連設して、形成した。  
(3) 前記支持板は、前記連結部材に連設した。
【０００７】
また、前記において、支持板の略中央に、切欠を形成した垂直面材の取付金物である。
【０００８】
また、前記において、以下のように構成したことを特徴とする垂直面材の取付金物である。  
(1) 基板は、適用する木造構造体の柱および横架材に位置するように配置した。  
(2) 第１部材と第２部材の少なくとも上端部および下端部にビス孔を形成した。  
(3) 前記ビス孔は、間隙の近傍に形成し、かつ上端部および下端部のビス孔は、適用する木造構造体の柱および横架材に位置するように配置した。
【０００９】
また、取付構造の発明は、柱と横架材とを接合境界線で接合した木造構造体に、取付金物を介して垂直面材を取りつける構造であって、以下のように構成したことを特徴とする木造構造体の垂直面材の取付構造である。  
(1) 前記取付金物は、水平方向に間隙を設けて並列した第１部材と第２部材とを備えた基板と、該基板に略垂直に連結した支持板とを含む構成とした。  
(2) 前記柱と前記横架材の側面で、前記接合境界線を跨いで、前記取付金物の基板を配置して固定した。  
(3) 前記垂直面材の下縁を前記取付金物の支持板に載置して、かつ前記垂直面材の側縁を前記柱の側面に合わせて配置した。  
(4) 前記垂直面材の側縁付近から、前記取付金物の間隙を通して、前記柱の側面にビス類を打ち込み、かつ前記垂直面材の下縁付近から前記横架材の側面にビス類を打ち込み、前記垂直面材を木造構造体に固定した。
【発明の効果】
【００１０】
この発明は、木造構造体の側面に固定する基板に略垂直の支持板を形成したので、支持板に垂直面材の下面を合わせるだけで、垂直面材を所定の位置に配置できるので、墨だし作業などを廃止して、施工作業を正確且つ効率化できる効果がある。また、木造構造体の側面に固定する基板に間隙を形成したので、垂直面材から木造構造体に向けてビス類を打つ際に、間隙を通過できるので、垂直面材を効率よく木造構造体に固定できる効果がある。
【図面の簡単な説明】
【００１１】
【図１】この発明の実施形態で、（ａ）は金物の斜視図、（ｂ）は構造体に金物を固定した状態の斜視図である。
【図２】この発明の実施形態で、（ａ）は金物の平面図、（ｂ）は金物の正面図、（ｃ）は金物の右側面図、（ｄ）は金物の底面図、を表す。
【図３】従来例を説明する斜視図である。
【発明を実施するための形態】
【００１２】
図面に基づきこの発明の実施形態を説明する。
【００１３】
１．支持金物３０の構成
【００１４】
（１）  幅Ｄの平板１の下端部の屈曲縁３で、下端側２を一面側に直角に屈曲して、支持板２０として、平板１の残部を基板１０とする。基板１０を自由端１１から支持板２０の近傍まで、長方形状に切り取り、切り取った部分を間隙１５として、両側の残部を第１部材１３および第２部材１４とし、平板１の屈曲縁３側の残部を連結部材１６とする。  
換言すれば、基板１０と、基板１０の下縁３に略垂直の支持板２０とを形成する。基板１０は、水平方向（屈曲縁３の長さ方向）に間隙１５を設けて並列した第１部材１３と第２部材１４とを下縁部の連結部材１６で連設して形成し、連結部材１６に支持板２０が連設されている。  
前記において、幅Ｄは使用する柱４１の太さに合わせて形成されている。したがって、第１部材１３、第２部材１４で間隙１５の反対側の縁１３ａ、１４ａは、柱４１の縁（または柱の縁の下方延長線４２に一致する）（図１（ａ））。
【００１５】
（２）  第１部材１３および第２部材１４で、水平方向（屈曲縁３の長さ方向）で間隙１５に近い側で、かつ自由端１１側と屈曲縁３側とにそれぞれ、合計４つのビス孔１７、１７を形成する。ビス孔１７は開口の周囲を、他面側（支持板２０を形成した一面の反対側の面）に膨出させた突出部１８を形成した。  
また、支持板２０の自由端２１から屈曲縁３に向けてＶ字状の切欠２２を形成し、切欠の先端（底）２３は屈曲縁３の近傍に位置するが、屈曲縁３には達しないように形成することが望ましい。  
また、第１部材１３および第２部材１４の自由端１１側、支持板２０の自由端２１側の角を削って丸めることが望ましい。
【００１６】
（３）  以上のようにして、取付金物３０を構成する（図１（ａ）、図２）。
【００１７】
２．取付金物３０の施工（壁板６０の取付構造）
【００１８】
（１）  第１土台（横架材）３１の上面３２に、柱４１の下面４４が固定されて、柱４１の軸付近には各種の接合金物（図示していない）が埋設されている。また、第１土台３１の一側面３３に第２土台５１の端面が接合されている。  
また、第１土台３１の一側面３３から他側面３４に略水平の貫通孔３６が穿設され、第１土台３１の一側面３３側には大径部３７が形成されている。第２土台５１の側面５２に一端５５が固定された棒状の接続金物５４の他端５６が貫通孔３６を通り大径部３７内のナットで第１土台３１に接合されている。大径部３７は柱４１の下方延長線４２が交わる位置にある。
【００１９】
（２）  施工予定の壁板（垂直面材）６０の下縁６２の位置に、支持板２０の上面が位置するように、柱４１の側面４３、第１土台３１の他側面３４に、取付金物３０を当接する。この際、取付金物３０の第１部材１３の側縁１３ａ、第２部材１４の側縁１４ａを柱４１の縁（角）に合わせるだけで、所定の位置に設置できる。  
続いて、各ビス孔１７、１７からビスを打ち込むと、取付金物３１で、上側のビス孔１７、１７は柱４１の側面４３に、下側のビス孔１７、１７は第１土台３１の他側面３４に位置しているので、取付金物３１は柱４１および第１土台３１に一体に固定される。したがって、取付金物３０により、柱４１と第１土台３１の接合部分の補強もなされる。
【００２０】
（３）  続いて、壁板（垂直面材）６０Ａ、６０Ｂをその下縁６２、６２を取付金物３１の支持板２０に載せ、対向する側縁６１、６１を取付金物３０の支持板２０の切欠２２の先端２３位置に合わせる（図１（ａ）（ｂ））。この作業だけで、壁板６０Ａ、６０Ｂを所定位置に配置できる。なお、図１で、壁板６０Ａ、６０Ｂは、一部のみを記載してあり、下縁６２と側縁６１以外は省略してある（図１（ａ）（ｂ））。  
続いて、壁板６０Ａ、６０Ｂの側縁６１、６１は取付金物３０の間隙１５内に位置しているので、壁板６０Ａ、６０Ｂの側縁６１、６１の近傍で柱４１の側面４３および第１土台３１の他側面３４に釘やビスを打ち込み、同様に、壁板６０Ａ、６０Ｂの下縁６２、６２の近傍で、第１土台３１の他側面３４に釘やビスを打ち込み、壁板６０Ａ、６０Ｂを柱４１および第１土台３１に固定する。この際、壁板６０Ａ、６０Ｂの側縁６１、６１の近傍から柱４１の側面４３（第１土台３１の他側面３４）に打ち込んだ釘やビスは、取付金物３０の間隙１５に位置するので、支障なく壁板６０Ａ、６０Ｂを固定できる。
【００２１】
（４）  以上のようにして、柱４１、第１土台（横架材）３１および第２土台（横架材）５１の接合部（木造構造体）に壁板６０Ａ、６０Ｂを固定する。第２土台５１を省略した、柱４１および第１土台（横架材）３１の接合部（木造構造体）への適用も同様である（図示していない）。
【００２２】
（５）  なお、前記において、柱が接合した位置以外で、壁板６０Ａの下縁６２の置出しが必要な場合には、適宜従来の任意の方法により、位置出しをする（図示していない）。また、前記において、第１土台３１は貫通孔３６の大径部３７に一部重なっているが、ビス孔１７、１７は間隙１５側に寄せて配置されているので、取付金物３０の固定に支障がない。
【００２３】
３．取付金物３０の他の構成
【００２４】
（１）  前記実施例において、取付金物３０の第１部材１３の側縁１３ａ、第２部材１４の側縁１４ａの距離Ｄ（平板の幅Ｄ）を柱４１の太さに合わせたので、取付金物３０の位置合わせが容易であるが、幅Ｄを柱の太さより大きくあるいは小さく形成することもできる（図示していない）。
【００２５】
（２）  また、前記実施例において、取付金物３０のビス孔１７に突出部１８を形成したが、突出部１８を省略することもできる（図示していない）。
【００２６】
（３）  また、前記実施例において、取付金物３０のビス孔１７は、第１部材１３および第２部材１４の間隙１５寄り（側縁１３ａ、１４ａの反対側）に配置することが望ましいが、第１部材１３、第２部材１４に形成されていれば、他の位置に配置することもできる（図示していない）。
【００２７】
（４）  また、前記実施例において、取付金物３０で、支持板２０に切欠２２を形成することが望ましいが、省略することもできる（図示していない）。
【００２８】
（５）  また、前記実施例において、取付金物３０に、適用予定の柱４１の下面４４位置（第１土台３１の上面３２位置。接合境界線）に合わせて、横架材位置印２６を形成しておくことできる（図２（ｂ））。横架材位置印２６を形成しておけば、取付金物３０の配置作業を簡略化できる。
【符号の説明】
【００２９】
１      平板
２      平板の下端側
３      平板の屈曲線
１０    基板
１１    基板の自由端
１３    第１部材
１３ａ  第１部材の側縁
１４    第２部材
１４ａ  第２部材の側縁
１５    間隙
１６    連結部材
１７    ビス孔
１８    ビス孔の突出部
２０    支持板
２１    支持板の自由端
２２    支持板の切欠
２３    切欠の底（先端）
２６    横架材位置印（第１部材、第２部材）
３０    取付金物
３１    第１土台（横架材）
３２    第１土台の上面（接合境界線）
３３    第１土台の一側面
３４    第１土台の他側面（略垂直面）
３６    第１土台の貫通孔
３７    貫通孔の大径部
４１    柱
４２    柱の下方延長線
４３    柱の側面（略垂直面）
４４    柱の下面（接合境界線）
５１    第２土台（横架材）
５２    第２土台の側面
５４    接続金物
６０    壁板（垂直面材）
６１    壁板の側縁
６２    壁板の下縁
７１    墨出し線
７２    釘
【図１】
2020183632.tif 000003
【図２】
2020183632.tif 000004
【図３】
2020183632.tif 000005